(57)【要約】【課題】  管理者不在等の理由で当該装置への返信ができなかった場合でも自動的に省エネモードに移行できる機能を有するデジタル複合機を提供する。【解決手段】  コピー機能、ＦＡＸ機能、プリンタ機能、スキャナ機能のうちの全てまたは複数機能を合わせ持つデジタル複合機において、各曜日毎に設定されたオン／オフ時間(ＲＴＣ６にて設定)に合わせて機器の電源をオン／オフするウィークリータイマー機能を有し、ウィークリータイマー機能での省エネ制御が起動される前に本機器の管理者端末に通知する場合には、管理者端末からの返信を受け付ける時間設定を行う制御手段１、２を備えた。【選択図】  図１
2005172869.tif 000002
【特許請求の範囲】
【請求項１】
コピー機能、ＦＡＸ機能、プリンタ機能、スキャナ機能のうちの全てまたは複数機能を合わせ持つデジタル複合機において、各曜日毎に設定されたオン／オフ時間に合わせて機器の電源をオン／オフするウィークリータイマー手段を有し、該ウィークリータイマー手段による省エネ制御が起動される前に本機器の管理者端末にその旨を通知する場合に、前記管理者端末からの返信を受け付ける時間を設定可能としたことを特徴とするデジタル複合機。
【請求項２】
請求項１記載のデジタル複合機において、前記管理者端末からの返信を受け付ける設定時間内の返信は任意の回数受け付け、受け付けた返信ごとに、設定する省エネモードを変更可能としたことを特徴とするデジタル複合機。
【請求項３】
請求項２記載のデジタル複合機において、前記管理者端末からの返信を受け付ける返信回数に制限をかけることを特徴とするデジタル複合機。
【請求項４】
請求項２記載のデジタル複合機において、前記管理者端末からの返信を受け付ける返信回数が制限回数以内であっても、強制的に設定した省エネモードに移行することを特徴とするデジタル複合機。
【発明の詳細な説明】
【技術分野】
【０００１】
本発明は、コピー機能、ＦＡＸ機能、プリンタ機能、スキャナ機能等の複数機能を１台で合わせ持つデジタル複合機に関し、特に省エネモード関連技術に関する。
【背景技術】
【０００２】
コピー機能、ＦＡＸ機能、プリンタ機能、スキャナ機能等の複数機能を１台で合わせ持つデジタル複合機に関連して、例えば、特許文献１〜３等に記載の従来技術がある。
【特許文献１】特開２００２−２９２９７３公報
【特許文献２】特開２００１−１７７７０６公報
【特許文献３】特開２０００−２５０７３２公報
【発明の開示】
【発明が解決しようとする課題】
【０００３】
従来から、デジタル複合機がオンライン接続されている場合には、ウィークリータイマーの設定状況を管理者へ通知し、リモート操作で設定を変更できる機能はあったが、リモート操作による省エネモード設定変更を受け付ける時間設定機能がなかったため、返信を受け付けるまでは省エネモードに移行できなかった。
本発明は、管理者不在等の理由で当該装置への返信ができなかった場合でも自動的に省エネモードに移行できる機能を有するデジタル複合機を提供することを目的とする。
【課題を解決するための手段】
【０００４】
上記目的を達成するために、請求項１記載の発明は、コピー機能、ＦＡＸ機能、プリンタ機能、スキャナ機能のうちの全てまたは複数機能を合わせ持つデジタル複合機において、各曜日毎に設定されたオン／オフ時間に合わせて機器の電源をオン／オフするウィークリータイマー手段を有し、該ウィークリータイマー手段による省エネ制御が起動される前に本機器の管理者端末にその旨を通知する場合に、前記管理者端末からの返信を受け付ける時間を設定可能としたことを特徴とする。
請求項２記載の発明は、請求項１記載のデジタル複合機において、前記管理者端末からの返信を受け付ける設定時間内の返信は任意の回数受け付け、受け付けた返信ごとに、設定する省エネモードを変更可能としたことを特徴とする。
請求項３記載の発明は、請求項２記載のデジタル複合機において、前記管理者端末からの返信を受け付ける返信回数に制限をかけることを特徴とする。
請求項４記載の発明は、請求項２記載のデジタル複合機において、前記管理者端末からの返信を受け付ける返信回数が制限回数以内であっても、強制的に設定した省エネモードに移行することを特徴とする。
【発明の効果】
【０００５】
本発明では、コピー機能、ＦＡＸ機能、プリンタ機能、スキャナ機能のうちの全てまたは複数機能を合わせ持つデジタル複合機において、各曜日毎に設定されたオン／オフ時間に合わせて機器の電源をオン／オフするウィークリータイマー機能を有し、ウィークリータイマー機能での省エネ制御が起動される前に本機器の管理者端末に通知する場合には、管理者端末からの返信を受け付ける時間設定を行う制御手段を備えたことにより、所期の目的を達成することができる。
【発明を実施するための最良の形態】
【０００６】
以下、図面を参照して、本発明の実施形態を詳細に説明する。
図１は本発明の実施の形態に係るデジタル複合機の機能ブロック図である。ＣＰＵ１、ＡＳＩＣ２はデジタル複合機のシステム制御全般を行う。ＲＯＭ３には基本システムプログラムが記憶される。ＲＡＭ４はプログラムのワークメモリ及び画像データ用のフレームメモリとして使用される。不揮発メモリ５はユーザが任意に設定できる各種初期設定値及び電源制御データを記憶するためのモジュールである。
ＲＴＣ６は時間情報を設定、管理するためのリアルタイムクロック機能を有する。エンジンＩ／Ｆ部７はデジタル複合機エンジン８への画像データ出力、及びエンジン制御を行うためのコマンドの通信ポートとしての機能も有する。操作部制御部９はデジタル複合機として必要な情報の表示、各種設定値の入力制御を行う。ＨＤＤ１０は主に画像データを保管するためのストレージ機能を有する。
電源制御部１１は不揮発メモリ５に記憶された省エネモード設定データやＲＴＣ６の時間情報等に基づいて本デジタル複合機の電源をオン／オフ制御するためのモジュールである。ＬＡＮコントローラ１２はＬＡＮ網を介して接続されているＰＣ、サーバ端末等からの画像データを受信したり、逆にＰＣ、サーバ端末等に本デジタル複合機の機器情報や設定情報を送信するためのモジュールである。
【実施例１】
【０００７】
図２は本発明のデジタル複合機における第１の処理例を示すフローチャートである。ＲＴＣ６で監視されている時間情報に基づいて、あらかじめ不揮発メモリ５に設定、保持されているウィークリータイマーへの移行時間が近づいた時点でウィークリータイマーモードへの処理ルーチンに入る（Ｓ１００）。
以前に設定されているウィークリータイマーでの省エネ移行時のモードを不揮発メモリ５から読み出すことで確認する（Ｓ１０１）。このときＳ１０１で確認した省エネ移行時のモードをあらかじめ登録されている機器管理者のＩＰアドレスに対して例えば電子メール情報としてＬＡＮコントローラ１２を制御することによって通知する（Ｓ１０２）。
機器管理者に通知した直後、ＲＴＣ６を参照することによって機器管理者からの返信待ち時間を設定し、返信待ち受け状態に入る（Ｓ１０３）。機器管理者からの返信が入った場合には、Ｓ１０１で確認した省エネ移行モードを別のモードに変更し、（Ｓ１０４，１０７）、ウィークリータイマーモードの実行プログラムに移行完了する（Ｓ１０８）。またＳ１０４の判定で機器管理者からの返信が確認できなかった場合はＳ１０３で設定した返信待ち受け時間に達したか否かを判断する（Ｓ１０５）。
返信待ち受け時間に達していなかった場合にはＳ１０４に戻り、再び返信待ち受け状態に入る。また、Ｓ１０５の判定で返信待ち受け時間に達していた場合はＳ１０１で確認した以前に設定されているウィークリータイマーでの省エネ移行時のモードに設定することによって（Ｓ１０６）、ウィークリータイマーモードの実行プログラムに移行完了する（Ｓ１０８）。
【実施例２】
【０００８】
図３は本発明のデジタル複合機における第２の処理例を示すフローチャートである。Ｓ１００〜Ｓ１０４までの処理フローは実施例１に同じである。
Ｓ１０４の判定で機器管理者からの返信が入った場合には、Ｓ１０１で確認した省エネ移行モードを別のモードに変更した（Ｓ１０７）後、返信待ち受け時間に達したか否かを判断する（Ｓ１０５）。また、Ｓ１０４の判定で、機器管理者からの返信が確認できなかった場合にも同様にＳ１０３で設定した返信待ち受け時間に達したか否かを判断する（Ｓ１０５）。Ｓ１０５の判定で返信待ち受け時間に達していなかった場合にはＳ１０４に戻り、再び返信待ち受け状態に入る。
また、Ｓ１０５の判定で返信待ち受け時間に達していた場合は、最新の返信通知によって設定された省エネ移行モードが有効になり、また返信が全く確認できなかった場合には、Ｓ１０１で確認した以前に設定されているウィークリータイマーでの省エネ移行時のモードに設定することによって（Ｓ２００）、ウィークリータイマーモードの実行プログラムに移行完了する（Ｓ１０８）。
【実施例３】
【０００９】
図４は本発明のデジタル複合機における第３の処理例を示すフローチャートである。Ｓ１００〜Ｓ１０３までの処理フローは実施例１、２に同じである。
Ｓ１０３の処理で機器管理者からの返信待ち時間を設定した後、返信待ち時間内に受け付ける返信回数をあらかじめ不揮発メモリ５に保管されているデータを読み出すことで設定する（Ｓ３００）。返信待ち受け状態に入った後、Ｓ１０４の判定で機器管理者からの返信が入った場合には、Ｓ１０１で確認した省エネ移行モードを別のモードに変更した（Ｓ１０７）後、返信回数のカウントアップを行う（Ｓ３０１）。
カウントアップした回数がＳ３００で設定した回数に到達したら返信受け付け時間の到達の有無に関わらず、最後に受け付けた返信によって決定された省エネ移行モードに設定する（Ｓ３０２，Ｓ２００）。Ｓ３０２の判定でカウントアップした回数がＳ３００で設定した回数に到達していない場合は、Ｓ１０３で設定した返信待ち受け時間に達したか否かを判断するルーチンに戻る（Ｓ１０５）。また、Ｓ１０４の判定で、機器管理者からの返信が確認できなかった場合とＳ１０５→Ｓ２００→Ｓ１０８の処理ルーチンは実施例２の動作に同じである。
【実施例４】
【００１０】
図５は本発明のデジタル複合機における第４の処理例を示すフローチャートである。Ｓ１００〜Ｓ１０３及びＳ３００〜Ｓ１０４〜Ｓ１０８までの処理フローは実施例１〜３と同じである。
返信待ち受け状態に入った後、Ｓ１０４の判定で機器管理者からの返信が入った場合には、Ｓ１０１で確認した省エネ移行モードを別のモードに変更した（Ｓ１０７）後、返信回数のカウントアップを行う（Ｓ３０１）。カウントアップした回数がＳ３００で設定した回数に到達したら返信受け付け時間の到達の有無に関わらず、最後に受け付けた返信によって決定された省エネ移行モードに設定する（Ｓ３０２，Ｓ２００）。
ここでＳ３０２の判定でカウントアップした回数がＳ３００で設定した回数に到達していない場合は、Ｓ１０７で決定した省エネ移行モードで決定するか否かの判断を管理者に確認する（Ｓ４００）。管理者からの判断で省エネ移行モードが決定されたら、受付制限回数内かつ返信待ち受け時間内であってもウィークリータイマーでの省エネ移行モードの実行ルーチン（Ｓ１０８）に飛ぶ。またＳ４００の判断でまだ決定できないと判断された場合はＳ１０５に飛び、以下の処理フローは実施例３に同じである。
本発明のデジタル複合機においては、リモート操作による省エネモード設定変更を受け付ける時間設定、監視機能が付加されたことで、管理者不在等の理由で当該機器への返信ができなかった場合でも自動的に省エネモードに移行が可能になる。
また、管理者の設定、操作ミスや一度返信してしまった省エネモードを再度変更したい場合に設定時間内であれば何度でも変更が可能であるため、操作ミス等の誤設定を容易にリカバリーできる。
また、省エネモード設定変更を受け付ける時間内であっても所定の返信回数がカウントされた時点で設定された省エネモードに移行するため、省エネモードへの移行時間を短縮することで機器の利用効率を向上させることができる。
また、省エネモード設定変更を受け付ける時間内、返信受付回数内であっても管理者が移行する省エネモードを決定した時点でその省エネモード処理実行に即座に移行できるため、省エネモードへの移行時間を短縮することで機器の利用効率を向上させることができる。
【図面の簡単な説明】
【００１１】
【図１】本発明の実施の形態に係るデジタル複合機の機能ブロック図である。
【図２】本発明のデジタル複合機における第１の処理例を示すフローチャートである。
【図３】本発明のデジタル複合機における第２の処理例を示すフローチャートである。
【図４】本発明のデジタル複合機における第３の処理例を示すフローチャートである。
【図５】本発明のデジタル複合機における第４の処理例を示すフローチャートである。
【符号の説明】
【００１２】
１  ＣＰＵ(制御手段)
２  ＡＳＩＣ(制御手段)
６  ＲＴＣ
【図１】
2005172869.tif 000003
【図２】
2005172869.tif 000004
【図３】
2005172869.tif 000005
【図４】
2005172869.tif 000006
【図５】
2005172869.tif 000007